(57)【要約】  【課題】  手放しで持ち運ぶときの利便性を向上させた携帯電話を提供する。  【解決手段】  折り畳み式の携帯電話を折り畳んだ状態で互いに対向する筐体の面のうち、一方の面上にその面の外縁のうちヒンジ部側の外縁以外の外縁に沿ってリブを設け、他方の面内に携帯電話を折り畳んだ状態で前記リブと契合するような溝を設ける。【選択図】      図１
2006060513.tif 000002
【特許請求の範囲】
【請求項１】
第一の筐体と第二の筐体とを備え、前記第一の筐体の一端と前記第二の筐体の一端とはヒンジ部によって回転自在に接続され、前記第一の筐体と前記第二の筐体が対向かつ近接する折り畳み状態をとることができる携帯電話において、
前記折り畳み状態において前記第二の筐体と対向する前記第一の筐体が有する面である第一の面の外縁のうち前記ヒンジ部側の外縁以外の外縁に沿って前記第一の面上にリブを設け、
前記折り畳み状態において前記第一の面と対向する前記第二の筐体が有する面である第二の面内に前記折り畳み状態において前記リブと契合するような凹部を設けたことを特徴とする携帯電話。
【請求項２】
前記第一の面の外縁のうち前記ヒンジ部側の外縁以外の外縁全体に沿って前記第一の面上にリブを設けたことを特徴とする請求項１に記載の携帯電話。
【請求項３】
前記第一の面の外縁のうち前記ヒンジ部側と対向する外縁のみに沿って前記第一の面上にリブを設けたことを特徴とする請求項１に記載の携帯電話。
【請求項４】
前記リブが有する面のうち、前記第一の面の外縁側の面に、前記第一の面から離れるにつれて前記第一の面内部へ向かう方向に傾斜するような傾斜面を設けたことを特徴とする請求項３に記載の携帯電話。
【請求項５】
前記第一の面の外縁のうち前記ヒンジ部に近傍し、かつ前記第一の筐体の側面に含まれる外縁のみに沿って前記第一の面上にリブを設けたことを特徴とする請求項１に記載の携帯電話。
【請求項６】
前記リブが有する面のうち、前記リブが設けられた前記第一の面の外縁上で前記ヒンジ部側から最も遠い地点に形成される面に、前記第一の面の外縁に沿って前記ヒンジ部側に向かうにつれて前記第一の面から離れる方向に傾斜するような傾斜面を設けたことを特徴とする請求項５に記載の携帯電話。
【発明の詳細な説明】
【技術分野】
【０００１】
本発明は、折り畳み構造を持つ携帯電話に関するものである。
【背景技術】
【０００２】
図７に従来の携帯電話の外観図を示す（従来の携帯電話の形状については例えば特許文献１を参照）。従来の携帯電話１７は、図７に示すように第１の筐体１の一端と第２の筐体２の一端とがヒンジ部３によって回転自在に接続され、折り畳むことができる。第１の筐体１は表示パネル５を備え、第２の筐体２はキー操作部４を備える。図８（ｂ）に、従来の携帯電話１７をヒンジ部３を回転中心として折り畳んだ状態のＡＡ断面図を示す。図８（ｂ）のように、折り畳み状態では、第１の筐体１と第２の筐体２とが対向かつ近接する形となる。このような従来の携帯電話１７を利用者が手放しで持ち運ぶ場合、簡易な方法として、図９に示すようにポケット６等の布地に従来の携帯電話１７を挟み込んで持ち運ぶ方法がよくとられる。
【特許文献１】特開２００４−１５３４０７号公報
【発明の開示】
【発明が解決しようとする課題】
【０００３】
しかし、従来の携帯電話１７を上記の方法で持ち運ぶ場合、次のような問題があった。図８（ｃ）に、図８（ａ）のように布地７を従来の携帯電話１７に挟み込んだ場合のＡＡ断面図を示す。図８（ｃ）に示すように、布地７を保持する力がないため、布地７は第１の筐体１と第２の筐体２の間で自由に動いてしまい、例えば図９のような場合であれば、携帯電話１７がポケット６から滑って落ちる可能性が大きく、手放しで携帯電話を持ち運ぶときの利便性が悪い。
【０００４】
また、布地７は第１の筐体１と第２の筐体２の間で自由に動いてしまい、第１の筐体１に備えられた表示パネル５と布地７が擦れたり、強く触れたりして、表示パネル５が傷つきやすいという問題もある。
【０００５】
本発明は上記問題点を鑑みてなされたものであり、手放しで持ち運ぶときの利便性を向上させた携帯電話を提供することを目的とする。
【課題を解決するための手段】
【０００６】
上記目的を達成するため、本発明の携帯電話は、第一の筐体と第二の筐体とを備え、前記第一の筐体の一端と前記第二の筐体の一端とはヒンジ部によって回転自在に接続され、前記第一の筐体と前記第二の筐体が対向かつ近接する折り畳み状態をとることができる携帯電話において、前記折り畳み状態において前記第二の筐体と対向する前記第一の筐体が有する面である第一の面の外縁のうち前記ヒンジ部側の外縁以外の外縁に沿って前記第一の面上にリブを設け、前記折り畳み状態において前記第一の面と対向する前記第二の筐体が有する面である第二の面内に前記折り畳み状態において前記リブと契合するような凹部を設けたことを特徴とする（本構成を第１の構成と呼ぶ）。
【０００７】
このような構成によれば、布地を携帯電話に挟んだときに、布地はリブと凹部の間に挟み込まれるので、布地が保持される。そのため、例えばポケットの布地に携帯電話を挟んだときに滑って落ちることがなく、手放しで持ち運ぶときの利便性が向上する。
【０００８】
また、本発明の携帯電話は、第１の構成の携帯電話において、前記第一の面の外縁のうち前記ヒンジ部側の外縁以外の外縁全体に沿って前記第一の面上にリブを設けたことを特徴とする（本構成を第２の構成と呼ぶ）。
【０００９】
このような構成によれば、布地を携帯電話に挟んだときに、布地はリブと凹部の間にヒンジ部側以外の外縁全体にわたって挟み込まれるので、布地がしっかり保持される。そのため、例えばポケットの布地に携帯電話を挟んだときに滑って落ちることがなく、手放しで持ち運ぶときの利便性が向上する。また、第一の面側に表示パネルが設けられている場合、布地が挟み込んだ部分全体にわたって表示パネルから隔離され、表示パネルに触れにくいので、表示パネルが傷つく可能性を低減できる。
【００１０】
また、本発明の携帯電話は、第１の構成の携帯電話において、前記第一の面の外縁のうち前記ヒンジ部側と対向する外縁のみに沿って前記第一の面上にリブを設けたことを特徴とする（本構成を第３の構成と呼ぶ）。
【００１１】
このような構成によれば、リブおよび凹部のスペースが少なくて済むので、デザイン上の制約が減り、筐体へのボタン類、表示部等の配置がしやすくなる。
【００１２】
また、本発明の携帯電話は、第３の構成の携帯電話において、前記リブが有する面のうち、前記第一の面の外縁側の面に、前記第一の面から離れるにつれて前記第一の面内部へ向かう方向に傾斜するような傾斜面を設けたことを特徴とする（本構成を第４の構成と呼ぶ）。
【００１３】
このような構成によれば、第３の構成の携帯電話において、布地を携帯電話に差し込みやすくすることができる。
【００１４】
また、本発明の携帯電話は、第１の構成の携帯電話において、前記第一の面の外縁のうち前記ヒンジ部に近傍し、かつ前記第一の筐体の側面に含まれる外縁のみに沿って前記第一の面上にリブを設けたことを特徴とする（本構成を第５の構成と呼ぶ）。
【００１５】
このような構成によれば、布地を携帯電話のリブと凹部の契合部に係わるほど深く挟んだときに、布地はリブと凹部の間に挟み込まれるので、布地が保持される。また、布地を携帯電話のリブと凹部の契合部に係わるほど挟み込まなければ、布地は保持されず、利用者は携帯電話を布地から取り外しやすくなる。従って、保持の必要有無に応じて布地の携帯電話への差込み深さを利用者が選択することができる。
【００１６】
また、本発明の携帯電話は、第５の構成の携帯電話において、前記リブが有する面のうち、前記リブが設けられた前記第一の面の外縁上で前記ヒンジ部側から最も遠い地点に形成される面に、前記第一の面の外縁に沿って前記ヒンジ部側に向かうにつれて前記第一の面から離れる方向に傾斜するような傾斜面を設けたことを特徴とする。
【００１７】
このような構成によれば、第５の構成の携帯電話において、布地を携帯電話に差し込みやすくすることができる。
【発明の効果】
【００１８】
本発明の携帯電話によれば、手放しで持ち運ぶときの利便性が向上する。
【発明を実施するための最良の形態】
【００１９】
（第１の実施形態）
図１は、本発明に係わる第１の実施形態の携帯電話の外観図を示す。第１の筐体１の一端と第２の筐体２の一端とはヒンジ部３によって回転自在に接続されている。第１の筐体１は表示パネル５を備え、第２の筐体２はキー操作部４を備える。第１の実施形態の携帯電話１０をヒンジ部３を回転中心として折り畳んだ状態のＡＡ断面図を図２（ｂ）に示す。図２（ｂ）に示すように、第１の筐体１と第２の筐体２とは対向かつ近接し、第１の筐体１に備えられた表示パネル５が第２の筐体２と対向する。そして、第２の筐体２と対向する第１の筐体１の面（すなわち表示パネル５が設けられた面、以下第１の面と呼ぶ）の外縁のうち、ヒンジ部３側の外縁以外の外縁全体に沿って第１の面上にリブ８が設けられている（図１参照）。一方、第１の面と対向する第２の筐体２の面（すなわちキー操作部４が設けられた面、以下第２の面と呼ぶ）内には、第１の実施形態の携帯電話１０を折り畳んだ状態でリブ８と契合するような溝９が設けられている（図１参照）。
【００２０】
このような第１の実施形態の携帯電話１０に布地を挟む場合について説明する。図２（ｃ）に、図２（ａ）のように布地７を第１の実施形態の携帯電話１０に挟み込んだ場合のＡＡ断面図を示す。布地７は挟み込み部分Ｐのように、リブ８と溝９の間に挟まれるので、布地７は保持され、動かない。また、リブ８は表示パネル５が備えられた第１の面側に設けられているので、布地７は挟まれている部分全体にわたって表示パネル５から隔離され、表示パネル５に触れにくい構造となっている。
【００２１】
（第２の実施形態）
図３は、本発明に係わる第２の実施形態の携帯電話の外観図を示す。第１の筐体１の一端と第２の筐体２の一端とはヒンジ部３によって回転自在に接続されている。第１の筐体１は表示パネル５を備え、第２の筐体２はキー操作部４を備える。第２の実施形態の携帯電話１３をヒンジ部３を回転中心として折り畳んだ状態のＡＡ断面図を図４（ｂ）に示す。図４（ｂ）に示すように、第１の筐体１と第２の筐体２とは対向かつ近接し、第１の筐体１に備えられた表示パネル５が第２の筐体２と対向する。そして、第２の筐体２と対向する第１の筐体１の面（すなわち表示パネル５が設けられた面、以下第１の面と呼ぶ）の外縁のうち、ヒンジ部３側と対向する外縁のみに沿って第１の面上にリブ１１が設けられている（図３参照）。一方、第１の面と対向する第２の筐体２の面（すなわちキー操作部４が設けられた面、以下第２の面と呼ぶ）内には、第２の実施形態の携帯電話１３を折り畳んだ状態でリブ１１と契合するような溝１２が設けられている（図３参照）。
【００２２】
このような第２の実施形態の携帯電話１３に布地を挟む場合について説明する。図４（ｃ）に、図４（ａ）のように布地７を第２の実施形態の携帯電話１３に挟み込んだ場合のＡＡ断面図を示す。図４（ｃ）の右側の図は、左側の図の挟み込み部分Ｑを拡大したものである。布地７はリブ１１と溝１２の間に挟まれるので、布地７は保持され、動かない。
【００２３】
また、図４（ｃ）の右側の図に示すように、リブ１１の面のうち、第１の面の外縁側の面に、第１の面から離れるにつれて第１の面内部へ向かう方向に傾斜するような傾斜面Ｓ１が設けられている。これにより、布地７を第２の実施形態の携帯電話１３に差し込みやすくなる。
【００２４】
また、図４（ｃ）の右側の図に示すように、リブ１１と溝１２の隙間Ｌ１は、所定の厚さ以上の布地７を挟み込んだ場合、布地７がリブ１１と溝１２の溝底との間に挟まれる状態よりもリブ１１が浮いた状態になるよう、調整されている。これにより、布地７と表示パネル５の隙間が大きくなり、布地７が表示パネル５に触れにくくなり、表示パネル５が傷つく可能性が低減する。
【００２５】
（第３の実施形態）
図５は、本発明に係わる第３の実施形態の携帯電話の外観図を示す。第１の筐体１の一端と第２の筐体２の一端とはヒンジ部３によって回転自在に接続されている。第１の筐体１は表示パネル５を備え、第２の筐体２はキー操作部４を備える。第３の実施形態の携帯電話１６はヒンジ部３を回転中心として折り畳みが可能であり、先の第１および第２の実施形態の携帯電話と同じく、折り畳み状態で第１の筐体１と第２の筐体２とは対向かつ近接し、第１の筐体１に備えられた表示パネル５が第２の筐体２と対向する。そして、第２の筐体２と対向する第１の筐体１の面（すなわち表示パネル５が設けられた面、以下第１の面と呼ぶ）の外縁のうち、ヒンジ部３に近傍し、かつ第１の筐体の側面に含まれる外縁のみに沿って第１の面上にリブ１４が設けられている（図５参照）。ここで、各々のリブ１４は、第１の筐体のいずれか一方の側面に含まれる第１の面の外縁のうち、ヒンジ部３側から該外縁の全体の長さの１/３以内の外縁部分に沿って設けることが望ましい。
【００２６】
一方、第１の面と対向する第２の筐体２の面（すなわちキー操作部４が設けられた面、以下第２の面と呼ぶ）内には、第３の実施形態の携帯電話１６を折り畳んだ状態でリブ１４と契合するような溝１５が設けられている（図５参照）。
【００２７】
このような第３の実施形態の携帯電話１６に布地を挟む場合について説明する。図６（ｂ）に、図６（ａ）のように布地７を第３の実施形態の携帯電話１６のリブ１４と溝１５との契合部に係わるまで挟み込んだ場合のＡＡ断面図を示す。図６（ｂ）の右側の図は、左側の図の挟み込み部分Ｒを拡大したものである。布地７はリブ１４と溝１５の間に挟まれるので、布地７は保持され、動かない。
【００２８】
また、図５や図６（ａ）に示すように、リブ１４の面のうち、リブ１４が設けられた第１の面の外縁上でヒンジ部３側から最も遠い地点に形成される面に、第１の面の外縁に沿ってヒンジ部３側に向かうにつれて第１の面から離れる方向に傾斜するような傾斜面Ｓ２が設けられている。これにより、布地７を第３の実施形態の携帯電話１６に差し込みやすくなる。
【００２９】
また、図６（ｂ）の右側の図に示すように、リブ１４と溝１５の隙間Ｌ２は、所定の厚さ以上の布地７を挟み込んだ場合、布地７がリブ１４と溝１５の溝底との間に挟まれる状態よりもリブ１４が浮いた状態になるよう、調整されている。これにより、布地７と表示パネル５の隙間が大きくなり、布地７が表示パネル５に触れにくくなり、表示パネル５が傷つく可能性が低減する。
【００３０】
また、布地７を保持する必要がない場合は、リブ１４と溝１５の契合部に係わらないよう布地７を挟み込めばよい。この場合、布地７は第１の面と第２の面の間を自由に動き、保持されない。
【図面の簡単な説明】
【００３１】
【図１】は、本発明に係わる第１の実施形態の携帯電話の外観図である。
【図２】は、本発明に係わる第１の実施形態の携帯電話に布地を挟み込んだ状態の外観図および該携帯電話の折り畳み状態のＡＡ断面図（布地有無）である。
【図３】は、本発明に係わる第２の実施形態の携帯電話の外観図である。
【図４】は、本発明に係わる第２の実施形態の携帯電話に布地を挟み込んだ状態の外観図および該携帯電話の折り畳み状態のＡＡ断面図（布地有無）である。
【図５】は、本発明に係わる第３の実施形態の携帯電話の外観図である。
【図６】は、本発明に係わる第３の実施形態の携帯電話に布地を挟み込んだ状態の外観図および該携帯電話の折り畳み状態のＡＡ断面図（布地有）である。
【図７】は、従来の携帯電話の外観図である。
【図８】は、従来の携帯電話に布地を挟み込んだ状態の外観図および該携帯電話の折り畳み状態のＡＡ断面図（布地有無）である。
【図９】は、従来の携帯電話の手放しでの持ち運び方法の一例を示す図である。
【符号の説明】
【００３２】
１    第１の筐体
２    第２の筐体
３    ヒンジ部
４    キー操作部
５    表示パネル
６    ポケット
７    布地
８    リブ
９    溝
１０    第１の実施形態の携帯電話
１１    リブ
１２    溝
１３    第２の実施形態の携帯電話
１４    リブ
１５    溝
１６    第３の実施形態の携帯電話
１７    従来の携帯電話
Ｐ、Ｑ、Ｒ    挟み込み部分
Ｓ１、Ｓ２    傾斜面
Ｌ１、Ｌ２    リブと溝の隙間
【図１】
2006060513.tif 000003
【図２】
2006060513.tif 000004
【図３】
2006060513.tif 000005
【図４】
2006060513.tif 000006
【図５】
2006060513.tif 000007
【図６】
2006060513.tif 000008
【図７】
2006060513.tif 000009
【図８】
2006060513.tif 000010
【図９】
2006060513.tif 000011